【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
無線通信ネットワークの基地送受信機システムにおいて、無線周波数（ＲＦ）ユニットが、アンテナに接続されて複数のアンテナ−搬送波チャンネルを表すアナログ信号を受信し、該ＲＦユニットが、該アナログ信号をデジタル信号に変換するアナログ／デジタルコンバータ（ＡＤＣ）と、該デジタル信号を複数のベースバンドチャンネルにダウンコンバートするデジタルダウンコンバータ（ＤＤＣ）とを含み、各ベースバンドチャンネルが、該アンテナ−搬送波チャンネルのうちの１つに対応し、かつ信号サンプルのシーケンスを有し、各信号サンプルが、同相（Ｉ）サンプルと直交（Ｑ）サンプルを含み、ベースバンドプロセッサが、該ＲＦユニットから受信した該信号サンプルに対して信号処理演算を実行する、ＲＦユニットからベースバンドプロセッサにシリアルデータリンクを通じて信号データを転送する方法であって、
圧縮制御パラメータに従って、ＲＦユニットにおいて各ベースバンドチャンネルの信号サンプルを圧縮し、各圧縮サンプルが圧縮Ｉサンプルと圧縮Ｑサンプルとを含む圧縮サンプルを形成する段階と、
シリアルデータリンクを通じた転送に向けて前記圧縮サンプルをフォーマット設定する段階と、
前記シリアルデータリンクを通じて前記圧縮サンプルを前記ＲＦユニットからベースバンドプロセッサに転送する段階と、
前記ベースバンドプロセッサにおいて前記圧縮サンプルを受信する段階と、
解凍制御パラメータに従って各ベースバンドチャンネルに対応する前記圧縮サンプルを解凍し、該対応するベースバンドチャンネルの解凍信号サンプルを形成する段階と、
を含み、
各解凍信号サンプルは、解凍Ｉサンプルと解凍Ｑサンプルを含み、
前記ベースバンドプロセッサは、各ベースバンドチャンネルに対する前記解凍信号サンプルに対して信号処理演算を適用する、
ことを特徴とする方法。
【請求項２】
無線通信ネットワークの基地送受信機システムにおいて、各信号サンプルが、複数のベースバンドチャンネルのうちの１つに関連付けられ、各信号サンプルが、同相（Ｉ）サンプルと直交（Ｑ）サンプルを含み、無線周波数（ＲＦ）ユニットが、各ベースバンドチャンネルの信号サンプルのシーケンスを複数のアンテナ−搬送波チャンネルのうちの対応する１つにアップコンバートして単一のアップコンバートデジタル信号を形成するデジタルアップコンバータ（ＤＵＣ）と、該アップコンバートデジタル信号をアナログ信号に変換するデジタル／アナログコンバータ（ＤＡＣ）とを含み、該ＲＦユニットが、アンテナに結合されて該複数のアンテナ−搬送波チャンネルを表す該アナログ信号を送信する、信号サンプルをベースバンドプロセッサからＲＦユニットにシリアルデータリンクを通じて転送する方法であって、
圧縮制御パラメータに従って、ベースバンドプロセッサにおいて各ベースバンドチャンネルに対応する信号サンプルを圧縮し、各圧縮サンプルが圧縮Ｉサンプルと圧縮Ｑサンプルとを含む圧縮サンプルを形成する段階と、
前記シリアルデータリンクを通じた転送に向けて前記圧縮サンプルをフォーマット設定する段階と、
前記シリアルデータリンクを通じて前記圧縮サンプルを前記ベースバンドプロセッサから前記ＲＦユニットに転送する段階と、
前記ＲＦユニットにおいて前記圧縮サンプルを受信する段階と、
解凍制御パラメータに従って前記圧縮サンプルを解凍し、各ベースバンドチャンネルに対応する解凍信号サンプルを形成する段階と、
を含み、
各解凍サンプルは、解凍Ｉサンプルと解凍Ｑサンプルを含み、
前記解凍信号サンプルは、アップコンバートデジタル信号を形成するためにＤＵＣに供給される、
ことを特徴とする方法。
【請求項３】
アンテナに結合されて複数のアンテ搬送波チャンネルを表すアナログ信号を受信する無線周波数（ＲＦ）ユニットと、シリアルデータリンクによって該ＲＦユニットに結合されたベースバンドプロセッサとを含み、該ＲＦユニットが、該アナログ信号をデジタル信号に変換するアナログ／デジタルコンバータ（ＡＤＣ）と、該デジタル信号を複数のベースバンドチャンネルにダウンコンバートするデジタルダウンコンバータ（ＤＤＣ）とを含み、各ベースバンドチャンネルが、該アンテナ−搬送波チャンネルのうちの１つに対応し、かつ信号サンプルのシーケンスを有し、各信号サンプルが、同相（Ｉ）サンプルと直交（Ｑ）サンプルを含み、該ベースバンドプロセッサが、該ＲＦユニットから受信した該信号サンプルに対して信号処理演算を実行する、無線通信ネットワークの基地送受信機システムにおいて、シリアルデータリンクを通じたＲＦユニットからベースバンドプロセッサへのデータ転送のための装置であって、
各圧縮器が、ＤＤＣから出力された対応するベースバンドチャンネルの信号サンプルを受信するように結合され、かつ圧縮制御パラメータに従って、各圧縮サンプルが圧縮Ｉサンプルと圧縮Ｑサンプルとを含む圧縮サンプルを生成する、ＲＦユニットにおける複数の圧縮器と、
前記複数の圧縮器に結合され、かつデータ転送プロトコルに従って前記圧縮サンプルをフォーマット設定するフォーマット設定器と、
を含み、
シリアルデータリンクが、前記圧縮サンプルをベースバンドプロセッサに転送するために前記フォーマット設定器に結合され、
前記ベースバンドプロセッサは、前記シリアルデータリンクに結合されて前記圧縮サンプルを受信し、
装置が、
前記ベースバンドプロセッサ内に統合された複数の解凍器、
を更に含み、
各解凍器は、前記対応するベースバンドチャンネルの前記圧縮サンプルを受信し、かつ解凍制御パラメータに従って解凍信号サンプルを形成し、
各解凍信号サンプルは、解凍Ｉサンプルと解凍Ｑサンプルを含み、
前記ベースバンドプロセッサは、各ベースバンドチャンネルに対する前記解凍信号サンプルに対して信号処理演算を実行する、
ことを特徴とする装置。
【請求項４】
アンテナに結合されてアナログ信号を送信する無線周波数（ＲＦ）ユニットと、シリアルデータリンクによって該ＲＦユニットに結合されて複数の信号サンプルを該ＲＦユニットに供給するベースバンドプロセッサとを含み、各信号サンプルが、複数のベースバンドチャンネルのうちの１つに関連付けられ、各信号サンプルが、同相（Ｉ）サンプルと直交（Ｑ）サンプルを含み、該ＲＦユニットが、各ベースバンドチャンネルの信号サンプルのシーケンスを複数のアンテナ−搬送波チャンネルのうちの対応する１つにアップコンバートして単一のアップコンバートデジタル信号を形成するデジタルアップコンバータ（ＤＵＣ）と、該アップコンバートデジタル信号を該複数のアンテナ−搬送波チャンネルを表す該アナログ信号に変換するデジタル／アナログコンバータ（ＤＡＣ）とを含む、無線通信ネットワークの基地送受信機システムにおいて、ベースバンドプロセッサからＲＦユニットへのデータ転送のための装置であって、
各々が、圧縮制御パラメータに従って対応するベースバンドチャンネルの信号サンプルを圧縮して各圧縮サンプルが圧縮Ｉサンプルと圧縮Ｑサンプルとを含む圧縮サンプルを形成する、ベースバンドプロセッサ内に統合された複数の圧縮器と、
前記複数の圧縮器に結合されて、データ転送プロトコルに従って前記圧縮サンプルをフォーマット設定するフォーマット設定器と、
を含み、
シリアルデータリンクが、前記圧縮サンプルをＲＦユニットに転送するために前記フォーマット設定器に結合され、
前記ＲＦユニットは、前記シリアルデータリンクに結合されて前記圧縮サンプルを受信し、
装置が、
前記ＲＦユニットにおける複数の解凍器、
を更に含み
各解凍器は、前記対応するベースバンドチャンネルの圧縮サンプルを受信して解凍信号サンプルを形成し
各解凍信号サンプルは、解凍Ｉサンプルと解凍Ｑサンプルを含み、
前記解凍信号サンプルは、アップコンバートデジタル信号を形成するためにＤＵＣに供給される、
ことを特徴とする装置。